(57)【要約】【課題】鏡枠から光学素子が剥がれるのを防止してレンズユニットを収納するとともに、収納されたレンズユニットを摘むことなく反転させて保持する。【解決手段】フランジ部Ｆが設けられた鏡枠Ｐ１と当該鏡枠Ｐ１に固定された第１光学素子Ｐ２及び第２光学素子Ｐ３とを有するレンズユニットＰを収納するレンズユニット収納用トレイ１０であって、鏡枠Ｐ１の円筒部Ｐ１ａの側周面とフランジ下面Ｆ２とを保持する円筒穴部２１の上端面２１ａと、フランジ側周面Ｆ３とフランジ上面Ｆ１とを保持する凹部２２の底面２２ａとが形成されている。【選択図】図４
2009202883.tif 000002
【特許請求の範囲】
【請求項１】
フランジが設けられた鏡枠と当該鏡枠に固定された複数の光学素子とを有するレンズユニットを収納するレンズユニット収納用トレイであって、
前記鏡枠の側周面と前記フランジの下面とを保持するトレイ本体と、
前記フランジの側周面と上面とを保持する蓋部材と、
を備えることを特徴とするレンズユニット収納用トレイ。
【請求項２】
当該レンズユニット収納用トレイは、前記鏡枠の側周面と前記フランジの下面とを上側部分で保持するとともに、前記フランジの側周面と上面とを下側部分で保持するよう構成されて、前記レンズユニットを収納して多段に積載可能に構成されることを特徴とする請求項１に記載のレンズユニット収納用トレイ。
【発明の詳細な説明】
【技術分野】
【０００１】
本発明は光ピックアップ用対物レンズユニットを収納するトレイに関するものである。
【背景技術】
【０００２】
本発明に関わる光ピックアップ用対物レンズユニットとしては、例えば特許文献１に記載のものがある。
【０００３】
ところで、レンズ等の光学製品は、専用の収納トレイに収納されて保管・搬送されている（例えば、特許文献２〜４参照）。
【特許文献１】特開２００６−８５８３７号公報
【特許文献２】特開２０００−３０４９９１号公報
【特許文献３】特開２００３−８２７２８５号公報
【特許文献４】特開２００３−３４１７７１号公報
【発明の開示】
【発明が解決しようとする課題】
【０００４】
しかしながら、上記特許文献２〜４に記載の収納トレイは、いずれも単体のレンズを収納するものであり、複数のレンズを有するレンズユニットの収納には対応できていない。特許文献１のレンズユニットは筒状の鏡枠の内側両端に２つの光学素子が接着固定されており、この鏡枠と光学素子との接着強度はレンズ単体の強度に比べて低くなっている。このため、従来の収納トレイにレンズユニットを収納すると、トレイ自体とレンズユニットの光学素子とが当接してしまい、例えば運搬中の振動等によって光学素子とトレイとが繰り返し衝突し、その衝撃荷重が鏡枠と光学素子との接着面に掛かることで、光学素子が接着面から剥離してしまう恐れがあった。
【０００５】
また、レンズユニットの光学機能面に傷や汚れが無いことを、顕微鏡を用いて目視検査する工程があるが、この工程では鏡枠の両側の光学素子をそれぞれ目視する必要がある。この検査はレンズユニットを収納トレイの本体側に載置した状態で行われるが、従来の収納トレイを使用した場合には、鏡枠の両側の光学素子を目視するためにレンズユニットだけを持ち上げて反転させる必要が生じた。レンズユニットは直径で５，６ｍｍの大きさであり、ピンセット等で摘んで反転させることは可能であるが、煩わしい作業であることに加え、このときにピンセット等で光学素子に傷を付けてしまう恐れがあった。
【０００６】
本発明は、上記事情を鑑みてなされたもので、鏡枠から光学素子が剥がれるのを防止してレンズユニットを収納するとともに、収納されたレンズユニットを摘むことなく反転させて作業者に目視させることが可能なレンズユニット収納用トレイの提供を課題とする。
【課題を解決するための手段】
【０００７】
前記の課題を解決するために、請求項１に記載の発明は、
フランジが設けられた鏡枠と当該鏡枠に固定された複数の光学素子とを有するレンズユニットを収納するレンズユニット収納用トレイであって、
前記鏡枠の側周面と前記フランジの下面とを保持するトレイ本体と、
前記フランジの側周面と上面とを保持する蓋部材と、
を備えることを特徴とする。
【０００８】
請求項２に記載の発明は、請求項１に記載のレンズユニット収納用トレイであって、
当該レンズユニット収納用トレイは、前記鏡枠の側周面と前記フランジの下面とを上側部分で保持するとともに、前記フランジの側周面と上面とを下側部分で保持するよう構成されて、前記レンズユニットを収納して多段に積載可能に構成されることを特徴とする。
【発明の効果】
【０００９】
請求項１に記載の発明によれば、鏡枠の側周面とフランジの下面とを保持するトレイ本体と、フランジの側周面と上面とを保持する蓋部材と、を備えるので、トレイ本体と蓋部材とは、光学素子と接触することなく、鏡枠のみを保持することでレンズユニットを保持することができる。したがって、トレイ本体又は蓋部材が光学素子と接触しないため、鏡枠から光学素子が剥がれるのを防止することができる。また、トレイ本体と蓋部材とでレンズユニットを収納保持した状態で上下を反転させることで、レンズユニットをピンセット等で摘むことなく収納されたレンズユニットの両側を作業者に目視させることができる。
【００１０】
請求項２に記載の発明によれば、当該レンズユニット収納用トレイは、鏡枠の側周面とフランジの下面とを上側部分で保持するとともに、フランジの側周面と上面とを下側部分で保持するよう構成されて、レンズユニットを収納して多段に積載可能に構成されるので、収納されたレンズユニットの上側にある当該レンズユニット収納用トレイは蓋部材として、下側にある当該レンズユニット収納用トレイはトレイ本体として、それぞれレンズユニットを保持して多段に積載することができる。したがって、コンパクトな収納空間で多くのレンズユニットを収納することができる。
【発明を実施するための最良の形態】
【００１１】
以下、本発明の実施の形態について、図を参照して説明する。
まず、本発明に係るレンズユニット収納用トレイ（以下、トレイと記載）に収納されるレンズユニットについて説明する。
【００１２】
図１は、本実施の形態におけるレンズユニットＰの側断面図である。
この図１に示すように、レンズユニットＰは、鏡枠Ｐ１と、第１光学素子Ｐ２と、第２光学素子Ｐ３とから構成されている。鏡枠Ｐ１は、円筒部Ｐ１ａと、その上端に形成された同心円筒状のフランジ部Ｆからなる段付き円筒状をなしている。そして、鏡枠Ｐ１の上端には第１光学素子Ｐ２が嵌合され接着剤で固定されるとともに、下端には第２光学素子Ｐ３が接着剤で固定されている。また、鏡枠Ｐ１のフランジ部Ｆには、後述のトレイ１０と当接するフランジ上面Ｆ１、下面Ｆ２、及び側周面Ｆ３が形成されている。
【００１３】
なお、このレンズユニットＰとしては、例えば特開２００６−８５８３７号公報に記載のような光ピックアップ用の対物レンズユニットを用いることができる。
【００１４】
続いて、本発明に係るトレイについて、図２（ａ）〜（ｃ）、図３及び図４を参照して説明する。ここで、図２（ａ）は本発明に係るトレイ１０を構成するトレイ部材１の上面側の平面図、図２（ｂ）は側面図、図２（ｃ）は図２（ａ）のＡ−Ａ断面図、図３は図２（ｃ）の部分拡大図、図４はレンズユニットＰを収納したトレイ１０の拡大断面図である。
【００１５】
本発明に係るトレイ１０は、図４に示すように、本発明におけるトレイ本体及び蓋部材として同一形状に形成された１対のトレイ部材１，１から構成されており、レンズユニットＰを収納した状態で多段に積載可能に形成されている。
【００１６】
トレイ部材１は、略方形板状に形成され、幅方向Ｘと長手方向Ｙとに整然と配設された略円筒穴状の収納部２を多数有している。
【００１７】
収納部２は、レンズユニットＰを収納するものであり、トレイ部材１の厚み方向（上下方向）に貫通する穴状に形成されている。よく詳しくは、鏡枠Ｐ１の円筒部Ｐ１ａが遊嵌される円筒穴部２１と、鏡枠Ｐ１のフランジ部Ｆが遊嵌される凹部２２とからなる段付きの円筒穴状に形成されている。
【００１８】
円筒穴部２１は、鏡枠Ｐ１の円筒部Ｐ１ａをトレイ部材１の上面側から遊嵌したときに、トレイ部材１の上面と同一平面にある上端面２１ａで鏡枠Ｐ１のフランジ下面Ｆ２を当接して保持するよう形成されている。また、この円筒穴部２１の深さは、レンズユニットＰにおけるフランジ下面Ｆ２から第２光学素子Ｐ３の最下端までの長さよりも充分深くなるよう形成されている。更に、円筒穴部２１の上端の内周縁には、鏡枠Ｐ１を挿入しやすいよう面取り２１ｂが設けられている。
【００１９】
凹部２２は、トレイ部材１の下面から上面側へ凹むよう円筒穴部２１と同心に形成され、鏡枠Ｐ１のフランジ部Ｆをトレイ部材１の下面側から遊嵌させたときに、底面２２ａでフランジ上面Ｆ１を当接して保持するよう形成されている。また、この凹部２２の深さはフランジ部Ｆの厚さよりも深くなるよう形成されている。更に、凹部２２の下端の内周縁には、フランジ部Ｆが挿入しやすいよう面取り２２ｂが設けられている。
【００２０】
また、トレイ部材１は、図１（ａ）〜（ｃ）に示すように、係合軸部３ａ，係合穴部３ｂ，及び溝部４を備えている。
【００２１】
係合軸部３ａと係合穴部３ｂとは、トレイ部材１の四隅において、上面と下面との対応する位置にそれぞれ設けられるとともに、互いに係合可能に形成されている。これにより、トレイ１０を多段に積載した際、すなわちトレイ部材１を多段に積載した際に、係合軸部３ａは上段のトレイ部材１における係合穴部３ｂに、係合穴部３ｂは下段のトレイ部材１における係合軸部３ａにそれぞれ係合し、互いの収納部２が幅方向Ｘ及び長手方向Ｙについて略同位置となるよう固定・位置決めされるようになっている。また、係合軸部３ａ及び係合穴部３ｂは、トレイ部材１の上面と上段のトレイ部材１の下面とが密着可能な係合深さとなっている。
【００２２】
溝部４は、トレイ部材１の長手方向Ｙに沿って収納部２の両側に形成されており、本実施の形態においては収納部２を介在させて長手方向Ｙに連続した状態となっている。なお、この溝部４は、例えば収納部２からレンズユニットＰを取り出す際に、その両端をピンセット等で挟みやすくするために設けられている。また、溝部４は、トレイ部材１を多段に積載したときに側面から異物が侵入しないよう、トレイ部材１の側面までは貫通しない長さとなっている。
【００２３】
以上のようなトレイ部材１は、例えば樹脂材料を射出成形加工することによって形成することができる。
【００２４】
続いて、トレイ１０に対するレンズユニットＰの収納・取り出し方法について、図４を参照して説明する。
【００２５】
まず、トレイ１０にレンズユニットＰを収納する場合には、例えばピンセット等で鏡枠Ｐ１のフランジ側周面Ｆ３を挟んで、鏡枠Ｐ１の円筒部Ｐ１ａをトレイ部材１の収納部２の円筒穴部２１に挿入する。すると、鏡枠Ｐ１のフランジ下面Ｆ２が上端面２１ａに当接して保持される。
【００２６】
次に、トレイ部材１の四隅の各係合軸部３ａが他のトレイ部材１の各係合穴部３ｂと係合するように（図１参照）、当該他のトレイ部材１をトレイ部材１の上段に積載する。すると、他のトレイ部材１における収納部２の凹部２２がフランジ部Ｆに遊嵌して、トレイ部材１の上面と他のトレイ部材１の下面とが密着する。こうして、レンズユニットＰは、トレイ１０を構成する１組のトレイ部材１，１に挟まれるようにして収納される。
【００２７】
なお、トレイ１０は、トレイ本体と蓋部材とで、レンズユニットＰの保持部分以外の形状は同形状にする必要はない。この場合、トレイ１０は、鏡枠Ｐ１の円筒部Ｐ１ａの側周面とフランジ下面Ｆ２とを上側部分で保持するとともに、フランジ側周面Ｆ３とフランジ上面Ｆ１とを下側部分で保持するよう構成されていればよい。このように構成すれば、収納されたレンズユニットＰの上側にあるトレイ部材１は蓋部材として、下側にあるトレイ部材１はトレイ本体として、それぞれレンズユニットＰを保持して多段に積載することができる。
【００２８】
このように、レンズユニットＰは、鏡枠Ｐ１の円筒部Ｐ１ａがトレイ部材１の円筒穴部２１に遊嵌されて、収納部２に収納されている。すなわち、トレイ部材１の円筒穴部２１が鏡枠Ｐ１の円筒部Ｐ１ａの側周面を当接して保持できるので、運搬中の振動等を受けた場合でも、トレイ部材１の円筒穴部２１の内周面と円筒部Ｐ１ａの側周面とが当接して、レンズユニットＰは保持され横方向への移動が拘束される。
【００２９】
同様の手順を繰り返せば、トレイ部材１を多段に積載、すなわちトレイ１０を多段に積載して、多くのレンズユニットＰを収納することができる。但し、保管や運搬の際には、最下段と最上段とに別体の密封可能な敷板と蓋（いずれも図示せず）とを付けて、異物が侵入しない状態にしておく。
【００３０】
一方、トレイ１０に収納されたレンズユニットＰを取り出すには、まず、上段の他のトレイ部材１の係合穴部３ｂを下段のトレイ部材１の係合軸部３ａから外すことにより、上段の他のトレイ部材１を下段のトレイ部材１から取り外す。それから、例えばピンセットの先端をトレイ部材１の収納部２両脇の溝部４に入れて、フランジ側周面Ｆ３をできるだけ深くピンセットに挟んで持ち上げることにより、レンズユニットＰを取り出す。
【００３１】
続いて、レンズユニットＰを上下反転させて保持する方法について、図４，図５（ａ），（ｂ）及び図６を参照して説明する。ここで、図５（ａ）はレンズユニットＰを保持する収納部２の拡大断面図、図５（ｂ）は上下を反転させたレンズユニットＰを保持する収納部２の拡大断面図、図６はレンズユニットＰを収納して上下を反転させたトレイ１０の拡大断面図である。
【００３２】
まず、上下正向きでトレイ部材１にレンズユニットＰを保持させる。すなわち、収納部２の円筒穴部２１にトレイ部材１の上面側から鏡枠Ｐ１の円筒部Ｐ１ａを挿入して、図５（ａ）に示すように、円筒穴部２１の上端面２１ａが鏡枠Ｐ１のフランジ下面Ｆ２を当接して保持する状態にする。それから、図４に示すように、上段に他のトレイ部材１を積載してトレイ１０がレンズユニットＰを収納した状態にする。そして、この状態で上下を反転させ、図６に示すように上下逆向きにしてから、上段となる（円筒部Ｐ１ａと遊嵌している）トレイ部材１を取り外す。すると、図５（ｂ）に示すように、レンズユニットＰの上下が反転して上下逆向きになって、鏡枠Ｐ１のフランジ上面Ｆ１が収納部２の凹部２２の底面２２ａで当接して保持される状態となる。
【００３３】
ここで、上下正向きとは、図４に示す上下の位置関係のように、トレイ部材１が円筒穴部２１を上側、凹部２２を下側にして配置されているか、多段に積載されている状態をいう。また、上下逆向きとは、この上下正向きの状態から上下を反転させた状態をいう。
【００３４】
このように、トレイ１０は、上下正向きのときにも上下逆向きのときにも、第１，第２光学素子Ｐ２，Ｐ３と接触することなく、フランジ部Ｆの上面Ｆ１及び下面Ｆ２のいずれか一方のみを当接して保持することでレンズユニットＰを保持することができる。
【００３５】
また、レンズユニットＰは、図５（ｂ）に示すように、フランジ部Ｆがトレイ部材１の凹部２２に遊嵌されて、収納部２に収納されている。すなわち、トレイ部材１の凹部２２がフランジ側周面Ｆ３を当接して保持できる。したがって、例えば、顕微鏡を用いて第２光学素子Ｐ３側を目視検査するときに、図５（ｂ）に示す上下逆向きの状態にして顕微鏡の下でトレイ部材１を手で移動させても、レンズユニットＰはトレイ部材１上の略定位置から横方向へずれることを防止することができる。
【００３６】
なお、前述のようにトレイ１０をトレイ本体と蓋部材とで別形状にした場合には、トレイ本体は円筒部Ｐ１ａの側周面とフランジ下面Ｆ２とを保持し、蓋部材はフランジ側周面Ｆ３とフランジ上面Ｆ１とを保持するように構成されていれば、上記の効果を奏することができる。
【００３７】
以上のように、本実施の形態におけるトレイ１０によれば、第１，第２光学素子Ｐ２，Ｐ３と接触することなく、フランジ部Ｆの上面Ｆ１及び下面Ｆ２のいずれか一方のみを保持することでレンズユニットＰを保持することができる。また、トレイ１０を構成する１対のトレイ部材１，１でレンズユニットＰを収納保持した状態で上下を反転させることで、収納されたレンズユニットＰを摘むことなく反転させて作業者に目視させることができる。
【００３８】
また、トレイ１０はレンズユニットＰを収納して多段に積載可能であるので、コンパクトな収納空間で多くのレンズユニットＰを収納することができる。
【００３９】
また、トレイ１０に収納されたレンズユニットＰは横方向への移動が拘束されるので、運搬中の振動や目視検査時の操作等によりレンズユニットＰが横方向に移動してトレイ部材１と光学素子とが接触することを防止できる。
【００４０】
なお、本発明は、上記実施の形態及びその変形例に限定されるものではなく、適宜変更可能であるのは勿論である。
【図面の簡単な説明】
【００４１】
【図１】実施の形態におけるレンズユニットの側断面図である。
【図２】（ａ）実施の形態におけるトレイ部材の上面側の平面図であり、（ｂ）側面図であり、（ｃ）（ａ）のＡ−Ａ断面図である。
【図３】図２（ｃ）の部分拡大部である。
【図４】実施の形態においてレンズユニットを収納したトレイの拡大断面図である。
【図５】（ａ）実施の形態においてレンズユニットを上下正向きに保持する収納部の拡大断面図であり、（ｂ）上下逆向きに保持する収納部の拡大断面図である。
【図６】実施の形態においてレンズユニットを収納して上下を反転させたトレイの拡大断面図である。
【符号の説明】
【００４２】
１      トレイ部材（トレイ本体、蓋部材）
１０    トレイ（レンズユニット収納用トレイ）
Ｆ      フランジ
Ｆ１    フランジ上面
Ｆ２    フランジ下面
Ｆ３    フランジ側周面
Ｐ      レンズユニット
Ｐ１    鏡枠
Ｐ２    第１光学素子
Ｐ３    第２光学素子
【図１】
2009202883.tif 000003
【図２】
2009202883.tif 000004
【図３】
2009202883.tif 000005
【図４】
2009202883.tif 000006
【図５】
2009202883.tif 000007
【図６】
2009202883.tif 000008